(57)【特許請求の範囲】
【請求項１】
冗長構成を備えた無線回線を含むディジタル通信システムの回線切替装置において、
オーバへッドを備えたフレーム構成で主信号をそれぞれ伝送する複数の光回線と、
前記複数の光回線と同数の現用無線回線と、
少なくとも１つの予備無線回線と、
前記現用無線回線および前記予備無線回線の各両端に位置し、前記複数の光回線を、前記現用無線回線および前記予備無線回線に対して選択的接続を行う送信側および受信側の端局装置と、
前記現用無線回線および前記予備無線回線の途中に設けられた中継装置と、
前記２つの端局装置および前記中継装置にそれぞれ設けられ、前記オーバへッドに補助信号を挿入したり、または前記オーバへッドから補助信号を脱落させたりする補助信号挿脱手段と、
前記送信側端局装置に設けられ、前記現用無線回線の１つが前記予備無線回線の１つに切り替わろうとするときに、その切替情報を前記補助信号として対応の補助信号挿脱手段から前記オーバへッドに挿入する切替情報挿入手段と、
前記中継装置に設けられ、対応の補助信号挿脱手段により、前記オーバへッドから前記切替情報を脱落させる切替情報脱落手段と、
前記切替情報脱落手段から得た前記切替情報に基づき、前記現用無線回線の前記１つを介して伝送されている主信号のオーバヘッドに挿入されている補助信号の受信から、前記予備無線回線の前記１つを介して伝送されている主信号のオーバヘッドに挿入されている補助信号の受信に切り替える補助信号受信切替手段と、前記切替情報脱落手段から得た前記切替情報に基づき、前記現用無線回線の前記１つを介して伝送されている主信号のオーバヘッドおよび前記予備無線回線の前記１つを介して伝送されている主信号のオーバヘッドに同時に補助信号を挿入する補助信号送並手段と、を含み、前記補助信号受信切替手段および前記補助信号送並手段が、主信号に関する前記現用無線回線から前記予備無線回線への前記受信側端局装置の切替タイミングで動作をそれぞれ開始することで、前記現用無線回線の前記１つを介して伝送されていた主信号のオーバヘッドに挿脱されていた補助信号を、前記予備無線回線の前記１つを介して伝送される主信号のオーバヘッドに対して挿脱するように切り替える制御を行う、前記中継装置に設けられた補助信号切替手段と、
を有することを特徴とするディジタル通信システムの回線切替装置。
【請求項２】
前記補助信号送並手段は、主信号に関する前記現用無線回線から前記予備無線回線への切替に先立つ前記送信側端局装置の主信号送並の開始タイミングで動作を開始し、
前記補助信号受信切替手段は、主信号に関する前記現用無線回線から前記予備無線回線への前記受信側端局装置の切替タイミングで動作を開始することを特徴とする請求項１記載のディジタル通信システムの回線切替装置。
【請求項３】
冗長構成を備えた無線回線を含むディジタル通信システムの回線切替装置において、
オーバへッドを備えたフレーム構成で主信号をそれぞれ伝送する複数の光回線と、
前記複数の光回線と同数の現用無線回線と、
少なくとも１つの予備無線回線と、
前記現用無線回線および前記予備無線回線の各両端に位置し、前記複数の光回線を、前記現用無線回線および前記予備無線回線に対して選択的接続を行う送信側および受信側の端局装置と、
前記現用無線回線および前記予備無線回線の途中に設けられた中継装置と、
前記２つの端局装置および前記中継装置にそれぞれ設けられ、前記オーバへッドに補助信号を挿入したり、または前記オーバへッドから補助信号を脱落させたりする補助信号挿脱手段と、
前記送信側端局装置に設けられ、前記現用無線回線の１つが前記予備無線回線の１つに切り替わろうとするときに、その切替情報を前記補助信号として対応の補助信号挿脱手段から前記オーバへッドに挿入する切替情報挿入手段と、
前記中継装置に設けられ、対応の補助信号挿脱手段により、前記オーバへッドから前記切替情報を脱落させる切替情報脱落手段と、
前記中継装置に設けられ、前記切替情報脱落手段から得た前記切替情報に基づき、前記現用無線回線の前記１つを介して伝送されていた主信号のオーバヘッドに挿脱されていた補助信号を、前記予備無線回線の前記１つを介して伝送される主信号のオーバヘッドに対して挿脱するように、切り替える補助信号切替手段と、
少なくとも前記中継装置に設けられ、前記複数の現用無線回線で伝送される各補助信号を自装置内で透過処理をすべきか、終端処理をすべきかの処理情報を記憶する記憶手段と、
少なくとも前記中継装置に設けられ、前記切替情報脱落手段により得られた切替情報と、前記記憶手段に記憶された処理情報とに基づき、前記終端処理を行う前記補助信号切替手段を動作させるか、または動作停止させるかを決定する決定手段と、
を有することを特徴とするディジタル通信システムの回線切替装置。
【請求項４】
冗長構成を備えた無線回線を含むディジタル通信システムの回線切替装置において、
オーバへッドを備えたフレーム構成で主信号をそれぞれ伝送する複数の光回線と、
前記複数の光回線と同数の現用無線回線と、
少なくとも１つの予備無線回線と、
前記現用無線回線および前記予備無線回線の各両端に位置し、前記複数の光回線を、前記現用無線回線および前記予備無線回線に対して選択的接続を行う送信側および受信側の端局装置と、
前記現用無線回線および前記予備無線回線の途中に設けられた中継装置と、
前記２つの端局装置および前記中継装置にそれぞれ設けられ、前記オーバへッドに補助信号を挿入したり、または前記オーバへッドから前記補助信号を脱落させたりする補助信号挿脱手段と、
前記送信側端局装置に設けられ、前記現用無線回線の１つが前記予備無線回線の１つに切り替わろうとするときに、その切替情報を前記補助信号として対応の補助信号挿脱手段から前記オーバへッドに挿入する切替情報挿入手段と、
前記中継装置に設けられ、対応の補助信号挿脱手段により、前記オーバへッドから前記切替情報を脱落させる切替情報脱落手段と、
前記中継装置に設けられ、前記切替情報脱落手段から得た前記切替情報に基づき、前記現用無線回線の前記１つを介して伝送されていた主信号のオーバヘッドに挿脱されていた前記補助信号を、前記予備無線回線の前記１つを介して伝送される主信号のオーバヘッドに対して挿脱するように、切り替える補助信号切替手段と、
少なくとも前記中継装置に設けられ、前記補助信号を自装置内で透過処理をすべき現用無線回線の識別コード、または終端処理をすべき現用無線回線の識別コードを記憶するレジスタと、
少なくとも前記中継装置に設けられ、前記切替情報脱落手段により得られた切替情報と、前記レジスタに記憶された識別コードとを比較し、その比較結果に基づき、前記終端処理を行う前記補助信号切替手段を動作させたり、また動作停止させたりする制御手段と、
を有することを特徴とするディジタル通信システムの回線切替装置。
【請求項５】
冗長構成を備えた無線回線を含むディジタル通信システムの回線切替装置において、
オーバへッドを備えたフレーム構成で主信号をそれぞれ伝送する複数の光回線と、
前記複数の光回線と同数の現用無線回線と、
少なくとも１つの予備無線回線と、
前記現用無線回線および前記予備無線回線の各両端に位置し、前記複数の光回線を、前記現用無線回線および前記予備無線回線に対して選択的接続を行う送信側および受信側の端局装置と、
前記現用無線回線および前記予備無線回線の途中に設けられた中継装置と、
前記２つの端局装置および前記中継装置にそれぞれ設けられ、前記オーバへッドに補助信号を挿入したり、または前記オーバへッドから前記補助信号を脱落させたりする補助信号挿脱手段と、
前記送信側端局装置に設けられ、前記現用無線回線の１つが前記予備無線回線の１つに切り替わろうとするときに、その切替情報を前記補助信号として対応の補助信号挿脱手段から前記オーバへッドに挿入する切替情報挿入手段と、
前記中継装置に設けられ、対応の補助信号挿脱手段により、前記オーバへッドから前記切替情報を脱落させる切替情報脱落手段と、
前記中継装置に設けられ、前記切替情報脱落手段から得た前記切替情報に基づき、前記現用無線回線の前記１つを介して伝送されていた主信号のオーバヘッドに挿脱されていた前記補助信号を、前記予備無線回線の前記１つを介して伝送される主信号のオーバヘッドに対して挿脱するように、切り替える補助信号切替手段と、
少なくとも前記中継装置に設けられ、前記複数の現用無線回線で伝送される各補助信号が搭載されるオーバヘッド内のバイト位置を示す位置情報を記憶する記憶手段と、
少なくとも前記中継装置に設けられ、前記切替情報脱落手段により得られた切替情報と、前記記憶手段に記憶された位置情報とに基づき、前記現用無線回線の前記１つを介して伝送されていた主信号のオーバヘッドの所定バイト位置に挿脱されていた前記補助信号を、前記予備無線回線の前記１つを介して伝送される主信号のオーバヘッドの所定バイト位置に対して挿脱するように切り替える切替手段と、
を有することを特徴とするディジタル通信システムの回線切替装置。
【請求項６】
冗長構成を備えた無線回線を含むディジタル通信システムの回線切替装置において、
オーバへッドを備えたフレーム構成で主信号をそれぞれ伝送する複数の光回線と、
前記複数の光回線と同数の現用無線回線と、
少なくとも１つの予備無線回線と、
前記現用無線回線および前記予備無線回線の各両端に位置し、前記複数の光回線を、前記現用無線回線および前記予備無線回線に対して選択的接続を行う送信側および受信側の端局装置と、
前記現用無線回線および前記予備無線回線の途中に設けられた中継装置と、
前記２つの端局装置および前記中継装置にそれぞれ設けられ、前記オーバへッドに補助信号を挿入したり、または前記オーバへッドから前記補助信号を脱落させたりする補助信号挿脱手段と、
前記送信側端局装置に設けられ、前記現用無線回線の１つが前記予備無線回線の１つに切り替わろうとするときに、その切替情報を前記補助信号として対応の補助信号挿脱手段から前記オーバへッドに挿入する切替情報挿入手段と、
前記中継装置および前記各端局装置に設けられ、対応の補助信号挿脱手段により、前記オーバへッドから前記切替情報を脱落させる切替情報脱落手段と、
前記中継装置および前記受信側端局装置に設けられ、対応の切替情報脱落手段から得た前記切替情報に基づき、前記現用無線回線の前記１つを介して伝送されている主信号のオーバヘッドに挿入されている前記補助信号の受信から、前記予備無線回線の前記１つを介して伝送されている主信号のオーバヘッドに挿入されている前記補助信号の受信に切り替える補助信号受信切替手段と、
前記中継装置および前記送信側端局装置に設けられ、対応の切替情報脱落手段から得た前記切替情報に基づき、前記現用無線回線の前記１つを介して伝送されている主信号のオーバヘッドおよび前記予備無線回線の前記１つを介して伝送されている主信号のオーバヘッドに同時に前記補助信号を挿入する補助信号送並手段と、
前記受信側端局装置に設けられ、主信号に関する前記現用無線回線から前記予備無線回線への前記受信側端局装置の切替完了を示す信号と、対応の切替情報脱落手段から前記切替情報とを受信したときに、前記中継装置および前記受信側端局装置に設けられた前記各補助信号受信切替手段を作動させる手段と、
前記送信側端局装置に設けられ、主信号に関する前記現用無線回線から前記予備無線回線への切替に先立つ前記送信側端局装置の主信号送並の開始を示す信号と、対応の切替情報脱落手段から前記切替情報とを受信したときに、前記中継装置および前記送信側端局装置に設けられた前記各補助信号送並手段を作動させる手段と、
を有することを特徴とするディジタル通信システムの回線切替装置。
【請求項７】
前記中継装置および前記送信側端局装置に設けられ、対応の補助信号送並手段が、前記現用無線回線の前記１つを介して伝送されている主信号のオーバヘッドおよび前記予備無線回線の前記１つを介して伝送されている主信号のオーバヘッドに同時に前記補助信号を挿入することを終了したときに、その終了を示す終了信号を出力する終了信号出力手段、
をさらに有し、
前記各補助信号受信切替手段は、対応の終了信号出力手段から前記終了信号を受信しているときのみ作動することを特徴とする請求項６記載のディジタル通信システムの回線切替装置。
【発明の詳細な説明】
【０００１】
【発明の属する技術分野】
本発明は、冗長構成を備えた無線回線を含むディジタル通信システムの回線切替装置に関し、特に、ＳＤＨ(Synchronous Digital Hierarchy）対応の多重ディジタル通信システムにおける無線回線部の現用予備の回線切替を行う回線切替装置に関する。
【０００２】
近年、主幹線系通信網のディジタル化に伴い、ＳＤＨによる標準化が世界的に進められている。そうしたＳＤＨネットワーク内に無線回線部が組み込まれることがあるが、そうした無線回線部においては、フェージング等の伝搬路の障害に対応するために、無線特有のＮ＋ｍ（Ｎは現用回線数を示し、ｍは予備回線数を示し、Ｎ＞ｍ≧１）冗長構成による切替が要求されている。すなわち、Ｎ本の現用回線のいずれか１本に障害があったときに、それらの現用回線が共用するｍ本の予備回線のうちの１本に切り替えることが行われる。この切替は主信号だけでなく、補助信号に対しても行われる必要がある。補助信号は、フレーム構成のＲＳＨＯ(Regenerator Section Over head),  ＭＳＯＨ(Multiple Section Over head), ＲＦＣＯＨ(Radio Frame Complementary Over Head) 等のオーバヘッドを利用して送受信されるものである。
【０００３】
また、無線区間では、主信号（ＳＴＭ−１，１５５．５２Ｍｂｐｓ）の多重化は行われず、光信号と無線信号とのメディア交換や無線中継等が行われるが、そうした無線端局装置や無線中間中継装置が互いに、また、そうした装置と光信号区間の光伝送端局装置とが、補助信号を用いて通信を行えるようにすることが求められている。補助信号として伝送される信号には、電話打合せ信号、主信号切替制御信号、監視制御信号等がある。
【０００４】
すなわち、図２１に示すように、光伝送端局装置である局Ａ、局Ｆと、無線端局装置である局Ｂ、局Ｅと、無線中間中継装置である局Ｃ、局Ｄとから構成されたシステムにおいて、例えば区間Ａの局Ａと局Ｄとが、あるいは区間Ｂの局Ｃと局Ｅとが、補助信号を用いて小容量の通信を行えることが求められている。
【０００５】
【従来の技術】
無線区間で補助信号を送受信するに際し、それらの情報量が少ない場合は、補助信号を、現用無線回線のうちの１本乃至数本で伝送される主信号のオーバヘッドを用いて伝送するようにし、それらの補助信号に対して冗長構成を取りたいときには、さらに、現用無線回線のうちの１本乃至数本で伝送される主信号のオーバヘッドを用い、補助信号毎に１＋１の冗長構成を取ることが可能であった。
【０００６】
しかし、最近になって、６４ｋｂｐｓや２Ｍｂｐｓの小容量の情報を補助信号として送信したいというような要求などがあり、補助信号として伝送する情報量が増大する傾向にある。そのため、現用の無線回線の全ての回線のオーバヘッドを補助信号の伝送に使用する必要がでてきている。そうした場合には補助信号毎に１＋１の冗長構成を取ることができないので、補助信号に対しても主信号と同じように、Ｎ＋ｍ（ｍ≧１）の冗長構成をとらないとならない。
【０００７】
ところで、無線中間中継装置（局Ｃ、局Ｄ）では主信号の現用予備の回線切替が行われず、主信号に対して単に増幅を行うだけであるため、２つの無線端局装置（局Ｂ、局Ｅ）の間で主信号の現用予備の回線切替が行われた場合、無線中間中継装置には主信号の回線切替情報が知らされない。そのため、例えば、無線中間中継装置と無線端局装置とが、切替の対象となった現用無線回線を介して補助信号を使用した通信を行っていると、その通信が突然遮断される事態となる。こうした事態を回避するためには、無線中間中継装置において、補助信号の現用予備の回線切替が必要となる。
【０００８】
そうした場合の補助信号の現用予備の切替方式として参考になる技術が、例えば特開昭５３−１２８２１２号公報に示されている。これによれば、２つの端局装置の間に複数の現用無線回線および１本の予備無線回線が設けられ、これらの現用無線回線および予備無線回線の途中に中継装置が設けられている。補助信号は現用無線回線の１本を用いて伝送され、その補助信号の予備回線として主信号の予備回線を使用するようにしている。以上のような回線構成が上り用および下り用として２系統設けられている。
【０００９】
この現用予備の切替方式では、中継装置が、主信号の伝送方向と反対方向へ伝送される補助信号を傍受し、その中に含まれる主信号の障害に伴う現用予備切替信号を抽出する。この主信号の現用予備切替信号を基に、中継装置が補助信号の現用予備の切替を行う。このようにして、主信号の現用予備の切替に同期した、中継装置における補助信号の現用予備の切替を実現している。
【００１０】
また、例えば特開平５−３２７６５０号公報に示されるように、端局における現用予備の切替状態をポーリング方式により特定の端局に収集し、中継装置がその収集された切替情報を傍受して切替状態を認識する方法がある。
【００１１】
【発明が解決しようとする課題】
しかし、特開昭５３−１２８２１２号公報に示されるような切替方法を、Ｎ＋ｍ（ｍ≧１）の冗長構成の補助信号の切替に適用しようとすると、傍受後の処理が非常に複雑化してしまい、装置構成の大規模化を招いてしまう。また、この特開昭５３−１２８２１２号公報に示される切替方法では、傍受の結果得られた情報に、複数の現用無線回線のうちの切替の対象となる回線を特定する情報は含まれていないので、どの現用無線回線の補助信号を予備無線回線に切替えるべきかが不明であるという問題もある。
【００１２】
また、特開平５−３２７６５０号公報に示されるようなポーリングによる切替情報収集では、情報収集に時間が非常にかかるので、主信号の回線切替から補助信号の回線切替までの間の時間差が大きくなってしまう。そのため最悪の場合には、主信号の障害が復旧して回線切り戻しが行われた後に補助信号の切替が初めて行われ、使われていない予備回線で補助信号が伝送され、その結果、補助信号の断を引き起こす恐れがある。
【００１３】
本発明はこのような点に鑑みてなされたものであり、無線区間における補助信号のＮ＋ｍ（ｍ≧１）の冗長構成の切替を簡単な構成で実現することを図ったディジタル通信システムの回線切替装置を提供することを目的とする。
【００１４】
【課題を解決するための手段】
本発明では上記目的を達成するために、図１に示すように、オーバへッドを備えたフレーム構成で主信号をそれぞれ伝送する複数の光回線１と、複数の光回線１と同数の現用無線回線２と、少なくとも１つの予備無線回線３と、現用無線回線２および予備無線回線３の各両端に位置し、複数の光回線１を、現用無線回線２および予備無線回線３に対して選択的接続を行う送信側および受信側の端局装置４，６と、現用無線回線２および予備無線回線３の途中に設けられた中継装置５と、２つの端局装置４，６および中継装置５にそれぞれ設けられ、オーバへッドに補助信号を挿入したり、またオーバへッドから補助信号を脱落させたりする補助信号挿脱手段４ａ，５ａと、送信側端局装置４に設けられ、現用無線回線２の１つが予備無線回線３の１つに切り替わろうとするときに、その切替情報を補助信号として対応の補助信号挿脱手段４ａからオーバへッドに挿入する切替情報挿入手段４ｂと、中継装置５に設けられ、対応の補助信号挿脱手段５ａにより、オーバへッドから切替情報を脱落させる切替情報脱落手段５ｂと、中継装置５に設けられ、切替情報脱落手段５ｂから得た切替情報に基づき、現用無線回線２の前記１つを介して伝送されていた主信号のオーバヘッドに挿脱されていた補助信号を、予備無線回線３の前記１つを介して伝送される主信号のオーバヘッドに対して挿脱するように、切り替える補助信号切替手段５ｃとを有することを特徴とするディジタル通信システムの回線切替装置が提供される。
【００１５】
以上のような構成において、通常、複数の光回線１を介してそれぞれ入力された光信号から成る各主信号が、送信側端局装置４で無線信号に変換されて、光回線１と同数の現用無線回線２へ出力される。それらの主信号は中継装置５で中継されて受信側端局装置６へ至り、受信側端局装置６で光信号に変換され、光回線へ出力される。受信側端局装置６は、現用無線回線２から送られる各主信号を監視し、それらのいずれかに異常があることを検出すると、その旨を送信側端局装置４へ、伝送方向が反対の無線回線（図示せず）を介して知らせる。これにより、送信側端局装置４と受信側端局装置６とは、異常のある現用無線回線を予備無線回線３の１つに回線切替を行う。
【００１６】
ところで、送信側端局装置４の切替情報挿入手段４ｂは、現用無線回線２の１つが予備無線回線３の１つに切り替わろうとするときに、その切替情報を補助信号として対応の補助信号挿脱手段４ａからフレーム構成の主信号のオーバへッドに挿入する。その切替情報は、少なくとも異常のある現用無線回線の識別コードを含んでいる。その切替情報を、中継装置５の切替情報脱落手段５ｂが、補助信号挿脱手段５ａを介して入手する。中継装置５の補助信号切替手段５ｃは、切替情報脱落手段５ｂから得た切替情報に基づき、現用無線回線２の異常回線を介して伝送されていた主信号のオーバヘッドに挿脱されていた補助信号を、予備無線回線３の前記１つを介して伝送される主信号のオーバヘッドに対して挿脱するように、切り替える。
【００１７】
このように、中継装置５が切替情報を得ることにより、中継装置５においても、現用無線回線２の異常回線を介して挿脱していた補助信号を、予備無線回線３の前記１つを介して挿脱することができるようになる。
【００１８】
なお、切替情報に、予備無線回線３の前記１つの識別コードをさらに挿入すれば、無線区間における補助信号のＮ＋ｍ（ｍ＞１）の冗長構成の切替に対しても容易に対応できる。
【００１９】
かくして、簡単な構成により、無線区間における補助信号のＮ＋ｍ（ｍ≧１）の冗長構成の切替が実現する。
【００２０】
【発明の実施の形態】
以下、本発明の実施の形態を図面に基づいて説明する。
まず、第１の実施の形態の原理構成を、図１を参照して説明する。第１の実施の形態は、オーバへッドを備えたフレーム構成で主信号をそれぞれ伝送する複数の光回線１と、複数の光回線１と同数の現用無線回線２と、少なくとも１つの予備無線回線３と、現用無線回線２および予備無線回線３の各両端に位置し、複数の光回線１を、現用無線回線２および予備無線回線３に対して選択的接続を行う送信側および受信側の端局装置４，６と、現用無線回線２および予備無線回線３の途中に設けられた中継装置５と、２つの端局装置４，６および中継装置５にそれぞれ設けられ、オーバへッドに補助信号を挿入したり、またオーバへッドから補助信号を脱落させたりする補助信号挿脱手段４ａ，５ａと、送信側端局装置４に設けられ、現用無線回線２の１つが予備無線回線３の１つに切り替わろうとするときに、その切替情報を補助信号として対応の補助信号挿脱手段４ａからオーバへッドに挿入する切替情報挿入手段４ｂと、中継装置５に設けられ、対応の補助信号挿脱手段５ａにより、オーバへッドから切替情報を脱落させる切替情報脱落手段５ｂと、中継装置５に設けられ、切替情報脱落手段５ｂから得た切替情報に基づき、現用無線回線２の前記１つを介して伝送されていた主信号のオーバヘッドに挿脱されていた補助信号を、予備無線回線３の前記１つを介して伝送される主信号のオーバヘッドに対して挿脱するように、切り替える補助信号切替手段５ｃとから構成される。
【００２１】
つぎに、図２〜図９を参照して第１の実施の形態の詳しい構成を説明する。
図２は第１の実施の形態の全体構成を示す構成図である。図中、右方向の伝送路に沿って説明すると、光伝送端局装置１１が、例えば３本の光信号回線を終端して電気信号に変換し、無線端局装置１２へ送る。無線端局装置１２には、３本の現用無線回線Ｍ１〜Ｍ３と、例えば１本の予備無線回線ＰＲＯＴとが接続され、無線端局装置１２は、それらの現用予備の回線切替を行う。現用無線回線Ｍ１〜Ｍ３および予備無線回線ＰＲＯＴの途中には無線中間中継装置１３，１４が接続され、主信号の増幅等の中継動作を行うとともに、補助信号の挿脱を行う。無線端局装置１５は、３本の現用無線回線Ｍ１〜Ｍ３と１本の予備無線回線ＰＲＯＴとから３本を選択的取り出し、光伝送端局装置１６へ送る。光伝送端局装置１６は、電気信号を光信号に変換して３本の光信号回線へ送りだす。なお、左方向にも、上記と同一の伝送路が設けられている。
【００２２】
図１の端局装置４は、図２の無線端局装置１２に対応し、図１の中継装置５は、図２の無線中間中継装置１３や無線中間中継装置１４に対応し、図１の端局装置６は、図２の無線端局装置１５に対応する。
【００２３】
図３は、第１の実施の形態で使用される信号のフレーム構成を示す図である。すなわち、ペイロードに主信号を搭載し、オーバヘッドのうちのＳＯＨ（Section Over Head)に全区間に係わる補助信号を、ＲＦＣＯＨ(Radio Frame Complementary Over Head) に無線区間に係わる補助信号を搭載する。したがって、図２の光伝送端局装置１１，１６の各両側では形態Ｆ１で信号の伝送が行われ、図２の無線端局装置１２、無線中間中継装置１３，１４、無線端局装置１５の各間では形態Ｆ２で信号の伝送が行われる。
【００２４】
図４は、図２の光伝送端局装置１１の内部構成を示す構成図である。この図では、右方向の補助信号の処理に関する部分だけを示している。すなわち、光伝送端局装置１１には、各回線毎にＳＯＨ挿脱部１８ａ〜１８ｃが設けられる。ＳＯＨ挿脱部１８ａ〜１８ｃは、ＳＯＨに挿入されている補助信号を取り出したり、ＳＯＨへ補助信号を挿入したりする。図中のブロックから入出する太線矢印は主信号の流れを示し、細線矢印は補助信号の流れを示している（以下に説明する各図においても同様）。なお、左方向の補助信号の処理の構成も、図４の構成と同じである。また、光伝送端局装置１６も光伝送端局装置１１と基本的には同じ構成であるので、光伝送端局装置１６の説明は省略する。
【００２５】
図５は、図２の無線端局装置１２の内部構成を示す構成図である。この図では、右方向へ伝送される信号に係わる部分を主に示している。すなわち、各回線毎にＳＯＨ挿脱部１９ａ〜１９ｃが設けられる。ＳＯＨ挿脱部１８ａ〜１８ｃは、ＳＯＨに挿入されている補助信号を取り出したり（ドロップ）、ＳＯＨへ補助信号を挿入したり（インサート）する。
【００２６】
現用予備切替部２０は、左側の光伝送端局装置１１から送られた３本の主信号を、通常は右側の現用無線回線Ｍ１，Ｍ２，Ｍ３にそれぞれ接続する。現用無線回線Ｍ１，Ｍ２，Ｍ３のいずれかの回線に異常があるときには、その異常回線に送る主信号を予備無線回線ＰＲＯＴにも同時に送る（所謂、送並する）ように接続する。これらの接続は送信切替制御部２３からの制御信号により行われる。
【００２７】
現用無線回線Ｍ１，Ｍ２，Ｍ３にはＲＦＣＯＨ挿入部２１ａ〜２１ｃがそれぞれ設けられ、予備無線回線ＰＲＯＴにはＲＦＣＯＨ挿入部２１ｄが設けられる。ＲＦＣＯＨ挿入部２１ａ〜２１ｄは、ＲＦＣＯＨに補助信号を挿入する。ここで挿入される補助信号としては、無線区間に係わる補助信号（オーダワイヤ信号、２Ｍｂｐｓの通話信号、監視制御信号等）や、送並や受信切替を指示する切替制御信号がある。切替制御信号は、送信切替制御部２３から送られた後述の異常回線の識別コード等がある。さらに、現用無線回線Ｍ１，Ｍ２，Ｍ３にはＴＸ２２ａ〜２２ｃがそれぞれ設けられ、予備無線回線ＰＲＯＴにはＴＸ２２ｄが設けられる。ＴＸ２２ａ〜２２ｄは、補助信号を含む各主信号を無線信号に変換してそれぞれ送出する。
【００２８】
送信切替制御部２３は、現用予備切替部２０による現用予備の回線切替を制御したり、ＲＦＣＯＨに対する各種補助信号の挿入を制御したりするが、この詳細についは図８を参照して後述する。
【００２９】
なお、無線端局装置１２には、図示を省略したが、左方向へ伝送される信号に対しての処理部がある。その構成は図７にて後述する無線端局装置１５の右方向の処理部の構成と同じである。無線端局装置１２の左方向の処理部を構成する４つのＲＦＣＯＨ脱落部２４からも切替制御信号が取り出され、送信切替制御部２３へ送られる。
【００３０】
図６は、無線中間中継装置１３，１４の内部構成を示す構成図である。無線中間中継装置１３および無線中間中継装置１４は同じ構成となっている。この図では、右方向へ伝送される信号に係わる部分を主に示している。すなわち、現用無線回線Ｍ１，Ｍ２，Ｍ３にはＲＸ２６ａ〜２６ｃおよびＲＦＣＯＨ脱落部２７ａ〜２７ｃがそれぞれ設けられ、予備無線回線ＰＲＯＴにはＲＸ２６ｄおよびＲＦＣＯＨ脱落部２７ｄが設けられる。ＲＸ２６ａ〜２６ｄは、各回線で送られる無線信号をそれぞれ受信する受信部である。ＲＦＣＯＨ脱落部２７ａ〜２７ｄは、ＲＦＣＯＨから各種補助信号を取り出し、受信切替・送並部３１へ送る。受信切替・送並部３１へ送られる各種補助信号のなかには、後述の異常回線の識別コードも含まれる。
【００３１】
また、現用無線回線Ｍ１，Ｍ２，Ｍ３にはＳＯＨ挿脱部２８ａ〜２８ｃ、ＲＦＣＯＨ挿入部２９ａ〜２９ｃ、およびＴＸ３０ａ〜３０ｃがそれぞれ設けられ、予備無線回線ＰＲＯＴにはＳＯＨ挿脱部２８ｄ、ＲＦＣＯＨ挿入部２９ｄ、およびＴＸ３０ｄが設けられる。ＳＯＨ挿脱部２８ａ〜２８ｄは、ＳＯＨに挿入されている補助信号を取り出し、また補助信号をＳＯＨへ挿入したりする。ＲＦＣＯＨ挿入部２９ａ〜２９ｄは、ＲＦＣＯＨに、受信切替・送並部２９から送られる無線区間に係わる補助信号を挿入する。ＴＸ３０ａ〜３０ｄは、補助信号を含む各主信号を無線信号に変換してそれぞれ右方向へ送出する。
【００３２】
受信切替・送並部３１は、ＲＦＣＯＨ脱落部２７ａ〜２７ｄから送られる受信ＳＷ切替に関する切替制御信号（異常回線の識別コード）に従い、ＲＦＣＯＨ脱落部２７ａ〜２７ｄから送られる４つの各種補助信号のうちの３つを選択してユーザへ送りだす。この動作については、受信切替・送並部３１の内部構成を示す図９を参照して後述する。また、受信切替・送並部３１は、ＲＦＣＯＨ脱落部２７ａ〜２７ｄから送られる送並に関する切替制御信号（異常回線の識別コード）に従い、各種補助信号の非送並時には、ユーザから送られる各補助信号をＲＦＣＯＨ挿入部２９ａ〜２９ｃへ送り、各種補助信号の送並時には、ユーザから送られる各種補助信号をＲＦＣＯＨ挿入部２９ａ〜２９ｃおよびＲＦＣＯＨ挿入部２９ｄに送る。この動作についても図９を参照して後述する。
【００３３】
図６の無線中間中継装置１３，１４にはそれぞれ、図示を省略したが、左方向へ伝送される信号に対しての処理部がある。その構成は図６に示す右方向の処理部の構成と同じである。左方向の処理部を構成する４つのＲＦＣＯＨ脱落部３２からも、受信切替・送並部３１へ切替制御信号が送られる。
【００３４】
図７は、図２の無線端局装置１５の詳しい内部構成を示す構成図である。この図７では、右方向へ伝送される信号に係わる部分を主に示している。すなわち、現用無線回線Ｍ１，Ｍ２，Ｍ３にはＲＸ３４ａ〜３４ｃおよびＲＦＣＯＨ脱落部３５ａ〜３５ｃがそれぞれ設けられ、予備無線回線ＰＲＯＴにはＲＸ３４ｄおよびＲＦＣＯＨ脱落部３５ｄが設けられる。ＲＸ３４ａ〜３４ｄは、各回線で送られる無線信号をそれぞれ受信する受信部である。ＲＦＣＯＨ脱落部３５ａ〜３５ｄは、ＲＦＣＯＨから後述の異常回線の識別コード等の補助信号を取り出し、受信切替制御部３９へ送る。現用予備切替部３６は、現用無線回線Ｍ１，Ｍ２，Ｍ３のいずれにも回線に異常がないときには、左側のＲＦＣＯＨ脱落部３５ａ〜３５ｃから送られた３本の主信号を、右側へ出力するように接続を行い、現用無線回線Ｍ１，Ｍ２，Ｍ３のいずれかの回線に異常があるときには、その異常回線を除いた２つの回線と予備無線回線ＰＲＯＴとで送られた主信号を右側へ出力するように接続を行う。この接続は受信切替制御部３９からの制御信号により行われる。
【００３５】
現用予備切替部３６に接続された３本の回線にＳＯＨ挿脱部３７ａ〜３７ｃがそれぞれ設けられる。ＳＯＨ挿脱部３７ａ〜３７ｃは、ＳＯＨに挿入されている補助信号を取り出したり、ＳＯＨへ補助信号を挿入したりする。
【００３６】
障害検出部３８は各主信号を監視し、それらに異常があると、受信切替制御部３９へどの回線で障害が発生しているかを知らせる。こうした障害通知を受けて受信切替制御部３９は、後述のＲＦＣＯＨ挿入部４１へ主信号の送並指示の切替制御信号を送ったり、また、ＲＦＣＯＨ脱落部３５ａ〜３５ｄから主信号送並応答の切替制御信号を受けて現用予備切替部３６による現用予備の回線切替を制御する。さらに、ＲＦＣＯＨ脱落部３５ａ〜３５ｄから異常回線の識別コードの切替制御信号を受けて受信ＳＷ切替を行う。これらの詳細についは図８を参照して後述する。なお無線端局装置１５には、図示を省略したが、左方向へ伝送される信号に対しての処理部がある。その構成は図５にて説明した無線端局装置１２の右方向の処理部の構成と同じである。無線端局装置１５の左方向の処理部を構成する４つのＲＦＣＯＨ挿入部４０へも、受信切替制御部３９から切替制御信号が送られる。
【００３７】
以上のような構成の第１の実施の形態の動作を、図８に示すシーケンス図を参照して説明する。図８中、「端局」は無線端局装置１２，１５を示し、「中中局」は無線中間中継装置１３，１４を示す。また「ＧＯ」は主信号の伝送方向（右方向）を示し、「ＲＥＴＵＲＮ」はその反対方向（左方向）を示す。以下、シーケンスの各ステップに付した番号に沿って説明する。
【００３８】
〔Ｓ１〕現用無線回線Ｍ１，Ｍ２，Ｍ３のいずれかで伝送されている主信号に障害が発生する。以下では、現用無線回線Ｍ１に障害が発生したものとして説明を進める。
【００３９】
〔Ｓ２〕無線端局装置１５（図７）の障害検出部３８がその障害を検出し、受信切替制御部３９へ障害回線Ｍ１の障害を知らせる。
〔Ｓ３〕受信切替制御部３９がＲＦＣＯＨ挿入部４０へ主信号送並指示の切替制御信号を送り、ＲＦＣＯＨ挿入部４０は、「ＲＥＴＵＲＮ」方向のＲＦＣＯＨに対して、その切替制御信号を挿入する。この切替制御信号には障害回線を特定する情報が含まれる。
【００４０】
〔Ｓ４〕この切替制御信号が無線端局装置１２（図５）のＲＦＣＯＨ脱落部２４で取り出され、送信切替制御部２３へ送られる。送信切替制御部２３は、現用予備切替部２０に対して送並を指示し、現用予備切替部２０は、障害回線Ｍ１へ出力されていた主信号が予備無線回線ＰＲＯＴにも同時に出力されるように回線接続を行う。
【００４１】
〔Ｓ５〕ステップＳ４の送並と同時に、送信切替制御部２３は、ＲＦＣＯＨ挿入部２１ａ〜２１ｄに主信号送並応答の切替制御信号を送り、ＲＦＣＯＨ挿入部２１ａ〜２１ｄはその切替制御信号をＲＦＣＯＨに挿入する。
【００４２】
〔Ｓ６〕無線端局装置１５（図７）のＲＦＣＯＨ脱落部３５ａ〜３５ｄは、この切替制御信号をＲＦＣＯＨから取り出し、受信切替制御部３９へ送る。受信切替制御部３９はこの主信号送並応答の切替制御信号を受け取ると、現用予備切替部３６を作動させ、現用予備切替部３６は、障害回線Ｍ１から得ていた主信号を予備無線回線ＰＲＯＴから得るように切替を行う。
【００４３】
〔Ｓ７〕ステップＳ４の主信号の送並と同時に、送信切替制御部２３（図５）は、ＲＦＣＯＨ挿入部２１ａ〜２１ｃに障害回線Ｍ１の識別コードを切替制御信号として送り、ＲＦＣＯＨ挿入部２１ａ〜２１ｃはその切替制御信号をＲＦＣＯＨに挿入する。識別コードは、現用無線回線が３本であるので、２ビットで作成される。例えば、「０１」を現用無線回線Ｍ１の障害に、「１０」を現用無線回線Ｍ２の障害に、「１１」を現用無線回線Ｍ３の障害に割り当て、「００」を障害のない場合に割り当てる。勿論、現用無線回線の数が増えれば、それに応じて識別コードのビット数も増やすことになる。
【００４４】
〔Ｓ８〕送信切替制御部２３は、ステップＳ７の識別コードの挿入と同時に、障害回線Ｍ１のＲＦＣＯＨに挿入していた各種補助信号をＲＦＣＯＨ挿入部２１ｄにも送り、予備無線回線ＰＲＯＴのＲＦＣＯＨにも挿入するようにする。
【００４５】
〔Ｓ９〕図６の無線中間中継装置１３のＲＦＣＯＨ脱落部２７ａ〜２７ｄは、ＲＦＣＯＨから識別コードの切替制御信号を取り出し、所定段数の後方保護を行なった上で受信切替・送並部３１へ送る。この後方保護の方法は従来からよく知られたの技術を採用する。
【００４６】
受信切替・送並部３１は、取り出された識別コードに基づき、その識別コードに対応する障害回線Ｍ１のＲＦＣＯＨ挿入部２９ａからＲＦＣＯＨに挿入されていた各種補助信号を、予備無線回線ＰＲＯＴのＲＦＣＯＨ挿入部２９ｄからＲＦＣＯＨにも挿入する（即ち送並する）ようにして「ＧＯ」方向へ送りだす。
【００４７】
〔Ｓ１０〕ステップＳ９での各種補助信号の送並と同時に、受信切替・送並部３１は、取り出された識別コードに対応する障害回線Ｍ１のＲＦＣＯＨ脱落部２７ａがＲＦＣＯＨから取り出していた「ＧＯ」方向の各種補助信号を、予備無線回線ＰＲＯＴのＲＦＣＯＨ脱落部２７ｄがＲＦＣＯＨから取り出すように切り替える。
【００４８】
〔Ｓ１１〕図６の無線中間中継装置１４において、ステップＳ９と同じ処理が行われる。
〔Ｓ１２〕図６の無線中間中継装置１４において、ステップＳ１０と同じ処理が行われる。
【００４９】
〔Ｓ１３〕無線端局装置１５（図７）のＲＦＣＯＨ脱落部３５ａ〜３５ｄは、ＲＦＣＯＨから識別コードの切替制御信号を取り出し、受信切替制御部３９は、識別コードに対応する障害回線Ｍ１のＲＦＣＯＨ脱落部３５ａがＲＦＣＯＨから得ていた「ＧＯ」方向の各種補助信号を、予備無線回線ＰＲＯＴのＲＦＣＯＨ脱落部３５ｄがＲＦＣＯＨから得るように切り替える。
【００５０】
図９は、図６の無線中間中継装置１３，１４の受信切替・送並部３１の内部構成を示す構成図である。図中の右側半分が送並を行うステップＳ９，Ｓ１１に対応し、左側半分が受信ＳＷ切替を行うステップＳ１０，Ｓ１２に対応する。
【００５１】
受信切替・送並部３１には現用無線回線Ｍ１〜Ｍ３に対応して３つの比較器３１ａ〜３１ｃが設けられ、各一方の入力端には、図６のＲＦＣＯＨ脱落部２７ａ〜２７ｄから、それらにおいて取り出された識別コードがそれぞれ入力され、各他方の入力端には個別のコード「０１」，「１０」，「１１」がそれぞれ入力される。比較器３１ａは、両入力ディジタルデータを比較し、一致したときに一致信号をセレクタ３１ｄ，３１ｅに出力する。同様に、比較器３１ｂは、一致信号をセレクタ３１ｆ，３１ｇに、比較器３１ｃは、一致信号をセレクタ３１ｈ，３１ｉに出力する。比較器３１ａ〜３１ｃの各他方の入力端にそれぞれ入力されるコードは、現用無線回線Ｍ１〜Ｍ３の識別コードに相当するものであるので、各一致信号は、対応の現用無線回線に障害があったときにだけ出力されることになる。
【００５２】
セレクタ３１ｄ，３１ｆ，３１ｈの各一方の入力端には、図６のＲＦＣＯＨ脱落部２７ｄが予備無線回線ＰＲＯＴのＲＦＣＯＨから取り出した各種補助信号が入力される。また、セレクタ３１ｄの他方の入力端には、図６のＲＦＣＯＨ脱落部２７ａが現用無線回線Ｍ１のＲＦＣＯＨから取り出した各種補助信号が入力される。同様に、セレクタ３１ｆの他方の入力端には、図６のＲＦＣＯＨ脱落部２７ｂが現用無線回線Ｍ２のＲＦＣＯＨから取り出した各種補助信号が入力され、セレクタ３１ｈの他方の入力端には、図６のＲＦＣＯＨ脱落部２７ｃが現用無線回線Ｍ３のＲＦＣＯＨから取り出した各種補助信号が入力される。セレクタ３１ｄ，３１ｆ，３１ｈはそれぞれ、一致信号が入力されていないときには、現用無線回線側からの各種補助信号を選択してユーザに出力するが、一致信号が入力されると、予備無線回線側からの各種補助信号を選択してユーザに出力するように動作する。したがって、例えば、現用無線回線Ｍ１に障害が発生してセレクタ３１ｄに一致信号が入力された場合には、セレクタ３１ｄは、出力すべき各種補助信号を現用無線回線Ｍ１から予備無線回線ＰＲＯＴに変更することになる。なおこの場合に、予め、同じ各種補助信号が現用無線回線Ｍ１と予備無線回線ＰＲＯＴとに送並されているので、これにより「ＧＯ」方向の各種補助信号に対する無線中間中継装置１３，１４における受信回線切替が実現する。
【００５３】
セレクタ３１ｅ，３１ｇ，３１ｉの各一方の入力端には、ユーザから各種補助信号がそれぞれ入力されている。これらの補助信号は、現用無線回線Ｍ１においては、図６のＲＦＣＯＨ挿入部２９ａへも同時に送られ、現用無線回線Ｍ２においては、図６のＲＦＣＯＨ挿入部２９ｂへも同時に送られ、現用無線回線Ｍ３においては、図６のＲＦＣＯＨ挿入部２９ｃへも同時に送られる。セレクタ３１ｅの他方の入力端には、セレクタ３１ｇの出力が入力され、セレクタ３１ｇの他方の入力端には、セレクタ３１ｉの出力が入力され、セレクタ３１ｉの他方の入力端には、何も入力されない。セレクタ３１ｅの出力端は予備無線回線ＰＲＯＴのＲＦＣＯＨ挿入部２９ｄに接続されている。セレクタ３１ｅ，３１ｇ，３１ｉはそれぞれ、一致信号が送られていないときには、各他方の入力端の信号を選択して出力し、一致信号が送られているときには、各一方の入力端の信号を選択して出力する。したがって、いずれの現用回線にも異常がなくてセレクタ３１ｅ，３１ｇ，３１ｉの全てに一致信号が送られていないときには、予備無線回線ＰＲＯＴのＲＦＣＯＨ挿入部２９ｄに出力される信号はない。また、現用無線回線Ｍ１に異常があり、セレクタ３１ｅに一致信号が送られると、現用無線回線Ｍ１のＲＦＣＯＨ挿入部２９ａに送られていた各種補助信号が予備無線回線ＰＲＯＴのＲＦＣＯＨ挿入部２９ｄにも出力され、送並されることになる。同様に、現用無線回線Ｍ２に異常があり、セレクタ３１ｇに一致信号が送られると、現用無線回線Ｍ２のＲＦＣＯＨ挿入部２９ｂに送られていた各種補助信号が予備無線回線ＰＲＯＴのＲＦＣＯＨ挿入部２９ｄにも出力される。さらに、現用無線回線Ｍ３に異常があり、セレクタ３１ｉに一致信号が送られると、現用無線回線Ｍ３のＲＦＣＯＨ挿入部２９ｃに送られていた各種補助信号が予備無線回線ＰＲＯＴのＲＦＣＯＨ挿入部２９ｄにも出力される。
【００５４】
以上のように、第１の実施の形態では、光伝送装置端局装置１１，１６、無線端局装置１２，１５、無線中間中継装置１３，１４の各々との間での補助信号を使用した通信が、通信媒体に関係なく、また、無線中間中継装置１３，１４のハードウェア構成を複雑にすることなく、可能となる。
【００５５】
また、障害のある無線回線を無線中間中継装置１３，１４に知らせるに当たって、数ビットの識別コードを送るだけでよいため、特に、無線中間中継装置１３，１４のハードウェア構成の規模を小さくすることができる。
【００５６】
さらに、無線中間中継装置１３，１４で各種補助信号の送並と同時に受信切替を行うので、切替が非常に早く完了する。すなわち、補助信号を６４ｋｂｐｓや２Ｍｂｐｓのディジタル通信用に使用した場合などでは、現用無線回線に障害が発生してから予備無線回線に切替を完了するまでの時間をできるだけ短くしたい。一方、主信号の送並を開始したということは、主信号がほぼ正常に切替えられると見做せる。したがって、補助信号もこの主信号の送並タイミングに合わせて切替を実施すれば、切替が非常に早く完了することになる。
【００５７】
ところで、図１の補助信号挿脱手段４ａは、図５のＲＦＣＯＨ挿入部２１ａ〜２１ｄに対応し、図１の切替情報挿入手段４ｂは、図５の送信切替制御部２３に対応し、図１の補助信号挿脱手段５ａは、図６のＲＦＣＯＨ脱落部２７ａ〜２７ｄに対応し、図１の切替情報脱落手段５ｂは、図６のＲＦＣＯＨ脱落部２７ａ〜２７ｄに対応し、図１の補助信号切替手段５ｃは、図６の受信切替・送並部３１に対応する。
【００５８】
なお、上述した第１の実施の形態では、光信号回線および現用無線回線がそれぞれ３本であり、予備無線回線が１本であるが、光信号回線および現用無線回線をそれぞれＮ本、予備無線回線をｍ本に設定してもよい（Ｎは任意の整数、ｍはＮ＞ｍ＞１の関係にある任意の整数）。予備無線回線が複数本設けられる場合には、図５の送信切替制御部２３からＲＦＣＯＨ挿入部２１ａ〜２１ｄに送られる切替制御信号として、障害のある現用無線回線の識別コードとともに、この障害回線が切替えられるべき予備無線回線の識別コードが必要になる。
【００５９】
つぎに、第２の実施の形態を説明する。
第２の実施の形態の構成は、図２〜図７に示した第１の実施の形態の構成と基本的に同じである。したがって、第２の実施の形態を、図２〜図７に示した構成を流用して説明する。第２の実施の形態が、第１の実施の形態と異なる点は、図５の送信切替制御部２３、図６の受信切替・送並部３１、および図７の受信切替制御部３９の動作である。
【００６０】
図１０は、第２の実施の形態の動作を示すシーケンス図である。このシーケンス図において、図８に示す第１の実施の形態のシーケンス図と同じ内容のステップには同じステップ番号を付して、その説明を省略する。以下、シーケンスの各ステップに付した番号に沿って説明する。
【００６１】
〔Ｓ１５〕ステップＳ６の主信号の受信切替と同時に、受信切替制御部３９（図７）はＲＦＣＯＨ挿入部４０に障害回線Ｍ１の識別コードを切替制御信号として送り、ＲＦＣＯＨ挿入部４０はその切替制御信号をＲＦＣＯＨに挿入する。
【００６２】
〔Ｓ１６〕受信切替制御部３９は、ステップＳ１５の識別コードの挿入と同時に、障害回線Ｍ１のＲＦＣＯＨ脱落部３５ａがＲＦＣＯＨから得ていた「ＧＯ」方向の各種補助信号を、予備無線回線ＰＲＯＴのＲＦＣＯＨ脱落部３５ｄがＲＦＣＯＨから得るように切り替える。
【００６３】
〔Ｓ１７〕図６の無線中間中継装置１４のＲＦＣＯＨ脱落部３２は、ＲＦＣＯＨから識別コードの切替制御信号を取り出し、所定段数の後方保護を行なった上で受信切替・送並部３１へ送る。
【００６４】
受信切替・送並部３１は、取り出された識別コードに基づき、その識別コードに対応する障害回線Ｍ１のＲＦＣＯＨ挿入部２９ａからＲＦＣＯＨに挿入されていた各種補助信号を、予備無線回線ＰＲＯＴのＲＦＣＯＨ挿入部２９ｄからＲＦＣＯＨにも挿入して（即ち送並して）「ＧＯ」方向へ送りだす。
【００６５】
〔Ｓ１８〕ステップＳ１７での各種補助信号の送並と同時に、受信切替・送並部３１は、取り出された識別コードに対応する障害回線Ｍ１のＲＦＣＯＨ脱落部２７ａがＲＦＣＯＨから取り出していた「ＧＯ」方向の各種補助信号を、予備無線回線ＰＲＯＴのＲＦＣＯＨ脱落部２７ｄがＲＦＣＯＨから取り出すように切り替える。
【００６６】
〔Ｓ１９〕図６の無線中間中継装置１３において、ステップＳ１７と同じ処理が行われる。
〔Ｓ２０〕図６の無線中間中継装置１３において、ステップＳ１８と同じ処理が行われる。
【００６７】
〔Ｓ２１〕図５の無線端局装置１２のＲＦＣＯＨ脱落部２４は、ＲＦＣＯＨから識別コードの切替制御信号を取り出し、送信切替制御部２３へ送る。
送信切替制御部２３は、取り出された識別コードに基づき、障害回線Ｍ１のＲＦＣＯＨ挿入部２１ａからＲＦＣＯＨに挿入していた各種補助信号を、予備無線回線ＰＲＯＴのＲＦＣＯＨ挿入部２１ｄにも送り、識別コードを送並する。
【００６８】
このように、第２の実施の形態では、補助信号の切替を主信号の受信側の切替タイミングに連動させる。すなわち、監視情報を含んだ補助信号は、回線切替に伴って遮断が発生しないことが望ましい。そのために、主信号の回線切替が完全に完了したことを確認してから、補助信号の切替に移行すれば、主信号の受信切替を行う無線端局装置１５の現用予備切替部３６に機器故障が発生した場合でも、継続的な補助信号の遮断を回避できる。
【００６９】
つぎに、第３の実施の形態を説明する。
第３の実施の形態の構成は、図２〜図７に示した第１の実施の形態の構成と基本的に同じである。したがって、第３の実施の形態を、図２〜図７に示した構成を流用して説明する。第３の実施の形態が、第１の実施の形態と異なる点は、図５の送信切替制御部２３、図６の受信切替・送並部３１、および図７の受信切替制御部３９の動作である。
【００７０】
図１１は、第３の実施の形態の動作を示すシーケンス図である。このシーケンス図において、図８に示す第１の実施の形態のシーケンス図と同じ内容のステップには同じステップ番号を付して、その説明を省略する。以下、シーケンスの各ステップに付した番号に沿って説明する。
【００７１】
〔Ｓ２３〕ステップＳ４の主信号の送並と同時に、送信切替制御部２３（図５）は、ＲＦＣＯＨ挿入部２１ａ〜２１ｃに障害回線Ｍ１の識別コードを切替制御信号として送り、ＲＦＣＯＨ挿入部２１ａ〜２１ｃはその切替制御信号をＲＦＣＯＨに挿入する。
【００７２】
〔Ｓ２４〕送信切替制御部２３は、ステップＳ２３の識別コードの挿入と同時に、障害回線Ｍ１のＲＦＣＯＨに挿入していた各種補助信号をＲＦＣＯＨ挿入部２１ｄにも送り、予備無線回線ＰＲＯＴのＲＦＣＯＨにも挿入して送並する。
【００７３】
〔Ｓ２５〕図６の無線中間中継装置１３のＲＦＣＯＨ脱落部２７ａ〜２７ｄは、ＲＦＣＯＨから識別コードの切替制御信号を取り出し、所定段数の後方保護を行なった上で受信切替・送並部３１へ送る。
【００７４】
受信切替・送並部３１は、取り出された識別コードに基づき、その識別コードに対応する障害回線Ｍ１のＲＦＣＯＨ挿入部２９ａからＲＦＣＯＨに挿入されていた各種補助信号を、予備無線回線ＰＲＯＴのＲＦＣＯＨ挿入部２９ｄからＲＦＣＯＨにも挿入して（即ち送並して）「ＧＯ」方向へ送りだす。
【００７５】
〔Ｓ２６〕図６の無線中間中継装置１４において、ステップＳ２５と同じ処理が行われる。
〔Ｓ２７〕ステップＳ６の主信号の受信切替と同時に、受信切替制御部３９（図７）はＲＦＣＯＨ挿入部４０に障害回線Ｍ１の識別コードを切替制御信号として送り、ＲＦＣＯＨ挿入部４０はその切替制御信号をＲＦＣＯＨに挿入する。
【００７６】
〔Ｓ２８〕受信切替制御部３９は、ステップＳ２７の識別コードの挿入と同時に、障害回線Ｍ１のＲＦＣＯＨ脱落部３５ａがＲＦＣＯＨから得ていた「ＧＯ」方向の各種補助信号を、予備無線回線ＰＲＯＴのＲＦＣＯＨ脱落部３５ｄがＲＦＣＯＨから得るように切り替える。
【００７７】
〔Ｓ２９〕図６の無線中間中継装置１４のＲＦＣＯＨ脱落部３２は、ＲＦＣＯＨから識別コードの切替制御信号を取り出し、所定段数の後方保護を行なった上で受信切替・送並部３１へ送る。
【００７８】
受信切替・送並部３１は、取り出された識別コードに対応する障害回線Ｍ１のＲＦＣＯＨ脱落部２７ａがＲＦＣＯＨから取り出していた「ＧＯ」方向の各種補助信号を、予備無線回線ＰＲＯＴのＲＦＣＯＨ脱落部２７ｄがＲＦＣＯＨから取り出すように切り替える。
【００７９】
〔Ｓ３０〕図６の無線中間中継装置１３において、ステップＳ２９と同じ処理が行われる。
このように、補助信号の送並を、主信号の送並タイミングで開始し、補助信号の受信側切替を、主信号の受信側切替タイミングで開始するようにする。したがって、補助信号の送並が対向送信側において実行された後に、受信側切替が実行されるので、瞬断時間を短くできる上に、確実な切替が可能となる。
【００８０】
なお、無線中間中継装置１３，１４および無線端局装置１５に、図１２に示すような位相調整装置をそれぞれ設け、受信切替における現用予備間の補助信号の位相ずれを補正するようにしてもよい。すなわち、データ位相比較部４２において、現用回線から送られる各種補助信号と予備回線から送られる各種補助信号との位相比較を行い、その比較結果に基づき、データ位相調整部４３において両補助信号の位相合わせを行う。位相調整が施された両補助信号を基に、受信切替スイッチ部４４において回線切替を実行する。
【００８１】
これにより、補助信号の無瞬断切替が実現し、６４ｋｂｐｓや２Ｍｂｐｓの補助信号に対する高品質の回線が提供できる。
つぎに、第４の実施の形態を説明する。
【００８２】
第４の実施の形態の構成は、図２〜図７に示した第１の実施の形態の構成と基本的に同じである。したがって、第４の実施の形態を、図２〜図７に示した構成を流用して説明する。第４の実施の形態が、第１の実施の形態と異なる点は、図５の送信切替制御部２３、図６の受信切替・送並部３１、および図７の受信切替制御部３９の動作である。
【００８３】
図１３は、第４の実施の形態の動作を示すシーケンス図である。このシーケンスは、第３の実施の形態のシーケンスと基本的には同じであるので、第３の実施の形態のシーケンスと同じ内容のステップには同じステップ番号を付して、その説明を省略する。以下、シーケンスの各ステップに付した番号に沿って説明する。
【００８４】
〔Ｓ３２〕図７の受信切替制御部３９は、ステップＳ２３により、障害回線Ｍ１の識別コードが切替制御信号として送られ、かつ、現用予備切替部３６での主信号の受信切替が完了すると、ＲＦＣＯＨ挿入部４０に障害回線Ｍ１の識別コードを切替制御信号として送り、ＲＦＣＯＨ挿入部４０はその切替制御信号をＲＦＣＯＨに挿入する。
【００８５】
すなわち、主信号切替のための信号の伝送速度が、各種補助信号切替用の信号の伝送速度よりも速い場合、各種補助信号の送並指示が全局に通知される以前に、各種補助信号の受信切替指示が通知され始める可能性がある。そのため、受信側無線端局装置１５に近い無線中間中継装置１４では、未だ各種補助信号の送並を無線中間中継装置１３がしていないのに、無線中間中継装置１４の受信切替を実施してしまうという不具合が発生する。そのために、受信側無線端局装置１５では、主信号の受信切替が完了し、かつ、各種補助信号の送並を指示する識別コードの受信があって初めて、各種補助信号の受信切替指示を送出するようにしている。
【００８６】
回線の切り戻しの場合には、逆に受信切替解除をした後に、相手局の送並解除をする必要がある。ステップＳ３３は、そうした場合に対応するステップである。
【００８７】
図１４は、送信側無線端局装置１２が他の局へ送出する、各種補助信号の送並を行うべき現用回線の番号Ｔ（Ｔ）と、受信側無線端局装置１５が他の局へ送出する、各種補助信号の受信切替を行うべき現用回線の番号Ｒ（Ｔ）とを示す図である。図中、「ＴＳＷＮｏ．」は送信側無線端局装置１２で主信号の送並を行っている現用回線の番号、「ＲＳＷＮｏ．」は受信側無線端局装置１５で主信号の受信切替を行っている現用回線の番号である。また、「Ｔ（Ｒ）」は送信側無線端局装置１２から送られ、受信側無線端局装置１５で受信した現用回線番号、「Ｒ（Ｒ）」は受信側無線端局装置１５から送られ、送信側無線端局装置１２で受信した現用回線番号である。
【００８８】
つぎに、第５の実施の形態を説明する。
第５の実施の形態の構成は、図２〜図７に示した第１の実施の形態の構成と基本的に同じである。したがって、第５の実施の形態を、図２〜図７に示した構成を流用して説明する。第５の実施の形態が、第１の実施の形態と異なる点は、図５の送信切替制御部２３、図６の受信切替・送並部３１、および図７の受信切替制御部３９の動作である。
【００８９】
図１５は、第５の実施の形態の動作を示すシーケンス図である。このシーケンスは、第３の実施の形態のシーケンスと基本的には同じであるので、第３の実施の形態のシーケンスと同じ内容のステップには同じステップ番号を付して、その説明を省略する。以下、シーケンスの各ステップに付した番号に沿って説明する。
【００９０】
〔Ｓ３５〕送信切替制御部２３は、ステップＳ２３の識別コードの挿入と同時に、障害回線Ｍ１のＲＦＣＯＨに挿入していた各種補助信号をＲＦＣＯＨ挿入部２１ｄにも送り、予備無線回線ＰＲＯＴのＲＦＣＯＨに挿入して送並する。この送並が完了されると、送信切替制御部２３は、完了信号をＲＦＣＯＨを介して図６の無線中間中継装置１３の受信切替・送並部３１へ送る。
【００９１】
〔Ｓ２６〕図６の無線中間中継装置１３のＲＦＣＯＨ脱落部２７ａ〜２７ｄは、ＲＦＣＯＨから識別コードの切替制御信号を取り出し、所定段数の後方保護を行なった上で受信切替・送並部３１へ送る。
【００９２】
受信切替・送並部３１は、取り出された識別コードに基づき、その識別コードに対応する障害回線Ｍ１のＲＦＣＯＨ挿入部２９ａからＲＦＣＯＨに挿入されていた各種補助信号を、予備無線回線ＰＲＯＴのＲＦＣＯＨ挿入部２９ｄからＲＦＣＯＨにも挿入して（即ち送並して）「ＧＯ」方向へ送りだす。この送並が完了されると、受信切替・送並部３１は、完了信号をＲＦＣＯＨを介して図６の無線中間中継装置１４の受信切替・送並部３１へ送る。
【００９３】
〔Ｓ３７〕図６の無線中間中継装置１４において、ステップＳ２６と同じ処理が行われる。ここでの送並が完了されると、受信切替・送並部３１は、完了信号をＲＦＣＯＨを介して図７の無線端局装置１５の受信切替制御部３９へ送る。
【００９４】
〔Ｓ３８〕受信切替制御部３９は、主信号の受信切替に伴うＳ２７による識別コードの挿入があった場合に、無線中間中継装置１４の受信切替・送並部３１から完了信号が送られていれば、障害回線Ｍ１のＲＦＣＯＨ脱落部３５ａがＲＦＣＯＨから得ていた「ＧＯ」方向の各種補助信号を、予備無線回線ＰＲＯＴのＲＦＣＯＨ脱落部３５ｄがＲＦＣＯＨから得るように切り替える。
【００９５】
〔Ｓ３９〕図６の無線中間中継装置１４のＲＦＣＯＨ脱落部３２は、ＲＦＣＯＨから識別コードの切替制御信号を取り出し、所定段数の後方保護を行なった上で受信切替・送並部３１へ送る。
【００９６】
受信切替・送並部３１は、識別コードの切替制御信号が送られた場合に、無線中間中継装置１３の受信切替・送並部３１から完了信号が送られていれば、取り出された識別コードに対応する障害回線Ｍ１のＲＦＣＯＨ脱落部２７ａがＲＦＣＯＨから取り出していた「ＧＯ」方向の各種補助信号を、予備無線回線ＰＲＯＴのＲＦＣＯＨ脱落部２７ｄがＲＦＣＯＨから取り出すように切り替える。
【００９７】
〔Ｓ４０〕図６の無線中間中継装置１３のＲＦＣＯＨ脱落部３２は、ＲＦＣＯＨから識別コードの切替制御信号を取り出し、所定段数の後方保護を行なった上で受信切替・送並部３１へ送る。
【００９８】
受信切替・送並部３１は、識別コードの切替制御信号が送られた場合に、無線端局装置１２の送信切替制御部２３から完了信号が送られていれば、取り出された識別コードに対応する障害回線Ｍ１のＲＦＣＯＨ脱落部２７ａがＲＦＣＯＨから取り出していた「ＧＯ」方向の各種補助信号を、予備無線回線ＰＲＯＴのＲＦＣＯＨ脱落部２７ｄがＲＦＣＯＨから取り出すように切り替える。
【００９９】
このように、各種補助信号の受信切替の指示があっても、相手局が各種補助信号の送並を完了していることを確認した上で、自局の各種補助信号の受信切替を行うようにする。これによって、各局における送並を行う機器故障等で、正常に各種補助信号の送並ができなかった場合に、その各種補助信号を受信している局で受信切替を行ってしまうという不具合を防止でき、各種補助信号の回線切替をより正確に実行できる。
【０１００】
つぎに、第６の実施の形態を説明する。
第６の実施の形態の構成は、図２〜図７に示した第１の実施の形態の構成と基本的に同じである。したがって、第６の実施の形態を、図２〜図７に示した構成を流用して説明する。第６の実施の形態が、第１の実施の形態と異なる点は、図５の送信切替制御部２３およびＲＦＣＯＨ挿入部２１ｄ、図６の受信切替・送並部３１、ＲＦＣＯＨ脱落部２７ｄ、およびＲＦＣＯＨ挿入部２９ｄ、並びに図７の受信切替制御部３９およびＲＦＣＯＨ脱落部３５ｄの内部構成である。
【０１０１】
図１６は、図６の無線中間中継装置１３の受信切替・送並部３１、ＲＦＣＯＨ脱落部２７ｄ、およびＲＦＣＯＨ挿入部２９ｄに追加される構成を示している。すなわち、ファームウェア４６が受信切替・送並部３１に設けられ、各種設定レジスタ４７がＲＦＣＯＨ脱落部２７ｄおよびＲＦＣＯＨ挿入部２９ｄにそれぞれ設けられる。なお、図１６に示す構成は、図５の無線端局装置１２の送信切替制御部２３およびＲＦＣＯＨ挿入部２１ｄ、図６の無線中間中継装置１４の受信切替・送並部３１、ＲＦＣＯＨ脱落部２７ｄ、およびＲＦＣＯＨ挿入部２９ｄ、並びに図７の無線端局装置１５の受信切替制御部３９およびＲＦＣＯＨ脱落部３５ｄにも同様に設けられるが、以下においては図６の無線中間中継装置１３に設けられた場合だけを説明する。
【０１０２】
無線中間中継装置１３の受信切替・送並部３１にはファームウェア４６が設けられ、ファームウェア４６は、切替番号レジスタ４６ａ、ＣＰＵから成る監視制御設定部４６ｂ、情報記憶用メモリ４６ｃから構成される。設定設定情報記憶用メモリ４６ｃに、無線中間中継装置１３における各現用回線Ｍ１〜Ｍ３毎の各種補助信号の処理方法が、ユーザの指示により予め設定される。各種補助信号の処理方法としては、終端処理および透過処理がある。終端処理とは、無線中間中継装置１３において各種補助信号を脱落（ドロップ）または挿入（インサート）する処理を指し、透過処理とは、無線中間中継装置１３において各種補助信号の挿脱を行わず透過（スルー）させてしまう処理を指す。
【０１０３】
切替番号レジスタ４６ａには、ＲＦＣＯＨ脱落部２７ａ〜２７ｄから得られた識別コードの切替制御信号が入力され、記憶される。この識別コードは異常現用無線回線を表している。監視制御設定部４６ｂは、切替番号レジスタ４６ａに記憶された識別コードに対応する現用無線回線の処理方法を、情報記憶用メモリ４６ｃから読み出し、各種設定レジスタ４７へ書き込む。
【０１０４】
各種設定レジスタ４７はこの場合２つあり、１つは予備無線回線ＰＲＯＴのＲＦＣＯＨ脱落部２７ｄに、もう１つは予備無線回線ＰＲＯＴのＲＦＣＯＨ挿入部２９ｄに設けられる。ＲＦＣＯＨ脱落部２７ｄおよびＲＦＣＯＨ挿入部２９ｄでは、自己の各種設定レジスタ４７に書き込まれた処理方法を参照して終端処理または透過処理を行う。すなわち、無線中間中継装置１３において異常現用無線回線が各種補助信号を終端処理をしていた場合には、予備無線回線ＰＲＯＴのＲＦＣＯＨ脱落部２７ｄおよびＲＦＣＯＨ挿入部２９ｄにおいても終端処理を行うようにし、無線中間中継装置１３において異常現用無線回線が各種補助信号を透過処理をしていた場合には、予備無線回線ＰＲＯＴのＲＦＣＯＨ脱落部２７ｄおよびＲＦＣＯＨ挿入部２９ｄにおいても透過処理を行うようにする。
【０１０５】
これにより、無線中間中継装置１３において各現用回線Ｍ１〜Ｍ３毎に各種補助信号の処理方法が異なっていても、各現用回線Ｍ１〜Ｍ３毎の各種補助信号の処理方法にそれぞれ一致した処理方法にて予備無線回線ＰＲＯＴでの各種補助信号の処理を実行することが可能となる。
【０１０６】
なお、切替番号レジスタ４６ａに識別コードの切替制御信号が入力されるタイミングは、第１の実施の形態で示したタイミングでも、第２の実施の形態で示したタイミングでもよい。
【０１０７】
つぎに、第７の実施の形態を説明する。
第７の実施の形態の構成は、図２〜図７に示した第１の実施の形態の構成と基本的に同じである。したがって、第７の実施の形態を、図２〜図７に示した構成を流用して説明する。第７の実施の形態が、第１の実施の形態と異なる点は、図５の送信切替制御部２３およびＲＦＣＯＨ挿入部２１ｄ、図６の受信切替・送並部３１、ＲＦＣＯＨ脱落部２７ｄ、およびＲＦＣＯＨ挿入部２９ｄ、並びに図７の受信切替制御部３９およびＲＦＣＯＨ脱落部３５ｄの内部構成である。
【０１０８】
図１７は、図６の無線中間中継装置１３の受信切替・送並部３１に追加される構成を示している。なお、図１７に示す構成は、図５の無線端局装置１２の送信切替制御部２３およびＲＦＣＯＨ挿入部２１ｄ、図６の無線中間中継装置１４の受信切替・送並部３１、ＲＦＣＯＨ脱落部２７ｄ、およびＲＦＣＯＨ挿入部２９ｄ、並びに図７の無線端局装置１５の受信切替制御部３９およびＲＦＣＯＨ脱落部３５ｄにも同様に設けられるが、以下においては図６の無線中間中継装置１３に設けられた場合だけを説明する。
【０１０９】
無線中間中継装置１３の受信切替・送並部３１に、監視制御設定論理部５０および比較レジスタ５１ａ〜５１ｃを設ける。監視制御設定論理部５０にはユーザから、各現用無線回線Ｍ１〜Ｍ３の無線中間中継装置１３における各種補助信号の処理方法が指示される。監視制御設定論理部５０は、この指示に従い、終端処理を指示された現用無線回線の識別コードを比較レジスタ５１ａ〜５１ｃにそれぞれ書き込む。例えば、無線中間中継装置１３において現用無線回線Ｍ１〜Ｍ３の全てが終端処理をするように指示されていれば、比較レジスタ５１ａ〜５１ｃにそれぞれ、「０１」，「１０」，「１１」が書き込まれ、現用無線回線Ｍ１だけが終端処理をするように指示されていれば、比較レジスタ５１ａに「０１」が書き込まれる。
【０１１０】
切替番号レジスタ４９には、ＲＦＣＯＨ脱落部２７ａ〜２７ｄから得られた識別コードの切替制御信号が入力され、記憶されており、この識別コードがコンパレータ５２ａに入力される。コンパレータ５２ａは、切替番号レジスタ４９からの識別コードと比較レジスタ５１ａに書き込まれた識別コードとを比較し、一致していないときには、切替番号レジスタ４９からの識別コードをコンパレータ５２ｂへ送る。コンパレータ５２ｂは、コンパレータ５２ａからの識別コードと比較レジスタ５１ｂに書き込まれた識別コードとを比較し、一致していないときには、コンパレータ５２ａからの識別コードをコンパレータ５２ｃへ送る。コンパレータ５２ｃは、コンパレータ５２ｂからの識別コードと比較レジスタ５１ｃに書き込まれた識別コードとを比較し、一致していないときには、指令部５３へ不一致信号を送る。指令部５３は不一致信号を受け取ると、異常のあった現用無線回線の無線中間中継装置１３における処理方法は透過処理が指定されているものと判断して、予備無線回線ＰＲＯＴのＲＦＣＯＨ脱落部２７ｄおよびＲＦＣＯＨ挿入部２９ｄにおいても透過処理を行うように指令する。また、指令部５３は不一致信号を受け取らない場合、異常のあった現用無線回線の無線中間中継装置１３における処理方法は終端処理が指定されているものと判断して、予備無線回線ＰＲＯＴのＲＦＣＯＨ脱落部２７ｄおよびＲＦＣＯＨ挿入部２９ｄにおいても終端処理を行うように指令する。
【０１１１】
なお、監視制御設定論理部５０は、ユーザからの指示に従い、終端処理を指示された現用無線回線の識別コードを比較レジスタ５１ａ〜５１ｃにそれぞれ書き込むようにしているが、これに代わって、透過処理を指示された現用無線回線の識別コードを比較レジスタ５１ａ〜５１ｃにそれぞれ書き込むようにしてもよい。ただしこの場合には、指令部５３は不一致信号を受け取ると、異常のあった現用無線回線の無線中間中継装置１３における処理方法は終端処理が指定されているものと判断して、予備無線回線ＰＲＯＴのＲＦＣＯＨ脱落部２７ｄおよびＲＦＣＯＨ挿入部２９ｄにおいても終端処理を行うように指令する。
【０１１２】
このように、第７の実施の形態では、第６の実施の形態のようなファームウェアによる制御装置よりも制御速度において高速化を図ることができる。
つぎに、第８の実施の形態を説明する。
【０１１３】
第８の実施の形態の構成は、第６の実施の形態の構成と基本的に同一である。したがって、第８の実施の形態を、図１６に示した第６の実施の形態の構成を流用して説明する。
【０１１４】
第８の実施の形態では、設定設定情報記憶用メモリ４６ｃに、無線中間中継装置１３における各現用回線Ｍ１〜Ｍ３毎の各種補助信号のＲＦＣＯＨでの搭載位置が、ユーザの指示により予め設定される。すなわち、ＳＤＨでは、各種補助信号を搭載すべきＲＦＣＯＨ内の位置が複数あり得る。例えば、ユーザ開放の６４ｋｂｐｓのサービス回線（ユーザチャネル）は、通常、Ｆ１バイトとＬ１バイトのどちらかに設定可能である。したがって、回線によって、ユーザチャネルがＦ１バイトに設定されていることも、また、Ｌ１バイトに設定されていることもあり得る。そのため、異常の現用無線回線から予備無線回線ＰＲＯＴに各種補助信号を切替える場合にも、各種補助信号が異常現用無線回線ではどのオーバヘッド位置に搭載されているかを予め知る必要がある。
【０１１５】
切替番号レジスタ４６ａには、ＲＦＣＯＨ脱落部２７ａ〜２７ｄから得られた識別コードの切替制御信号が入力され、記憶される。この識別コードは異常現用無線回線を表している。監視制御設定部４６ｂは、切替番号レジスタ４６ａに記憶された識別コードに対応する現用無線回線の補助信号搭載位置（Ｆ１バイトまたはＬ１バイト）を、情報記憶用メモリ４６ｃから読み出し、各種設定レジスタ４７へ書き込む。
【０１１６】
各種設定レジスタ４７はこの場合２つあり、１つは予備無線回線ＰＲＯＴのＲＦＣＯＨ脱落部２７ｄに、もう１つは予備無線回線ＰＲＯＴのＲＦＣＯＨ挿入部２９ｄに設けられる。ＲＦＣＯＨ脱落部２７ｄおよびＲＦＣＯＨ挿入部２９ｄでは、自己の各種設定レジスタ４７に書き込まれた補助信号搭載位置を参照して終端処理を行う。すなわち例えば、無線中間中継装置１３において異常現用無線回線が各種補助信号をＬ１バイトに搭載している場合には、予備無線回線ＰＲＯＴのＲＦＣＯＨ脱落部２７ｄおよびＲＦＣＯＨ挿入部２９ｄにおいも、各種補助信号をＬ１バイトから脱落させたり、Ｌ１バイトに挿入したりする。
【０１１７】
これにより、無線中間中継装置１３において各現用回線Ｍ１〜Ｍ３毎に各種補助信号のＲＦＣＯＨに対する搭載位置が異なっていても、各現用回線Ｍ１〜Ｍ３毎の各種補助信号の搭載位置にそれぞれ一致した搭載位置に対して予備無線回線ＰＲＯＴで各種補助信号の脱落が実行されることになる。
【０１１８】
なお、切替番号レジスタ４６ａに識別コードの切替制御信号が入力されるタイミングは、第１の実施の形態で示したタイミングでも、第２の実施の形態で示したタイミングでもよい。
【０１１９】
なおまた、第８の実施の形態を、第６の実施の形態または第７の実施の形態に組み合わせるようにしてもよい。
つぎに、第９の実施の形態を説明する。
【０１２０】
第９の実施の形態の構成は、図２〜図７に示した第１の実施の形態の構成と基本的に同じである。したがって、第９の実施の形態を、図２〜図７に示した構成を流用して説明する。第９の実施の形態が、第１の実施の形態と異なる点は、図５の送信切替制御部２３およびＲＦＣＯＨ挿入部２１ｄ、図６の受信切替・送並部３１、ＲＦＣＯＨ脱落部２７ｄ、およびＲＦＣＯＨ挿入部２９ｄ、並びに図７の受信切替制御部３９およびＲＦＣＯＨ脱落部３５ｄの内部構成である。
【０１２１】
図１８は、図６の無線中間中継装置１３の受信切替・送並部３１に追加される構成を示している。なお、図１８に示す構成は、図５の無線端局装置１２の送信切替制御部２３およびＲＦＣＯＨ挿入部２１ｄ、図６の無線中間中継装置１４の受信切替・送並部３１、ＲＦＣＯＨ脱落部２７ｄ、およびＲＦＣＯＨ挿入部２９ｄ、並びに図７の無線端局装置１５の受信切替制御部３９およびＲＦＣＯＨ脱落部３５ｄにも同様に設けられるが、以下においては図６の無線中間中継装置１３に設けられた場合だけを説明する。
【０１２２】
無線中間中継装置１３の受信切替・送並部３１に、監視制御設定論理部５５および情報レジスタ５７ａ〜５７ｃを設ける。監視制御設定論理部５５にはユーザから、各現用無線回線Ｍ１〜Ｍ３の無線中間中継装置１３における各種補助信号のＲＦＣＯＨへの搭載位置が指示される。この搭載位置は、第８の実施の形態において説明したように、Ｆ１バイトまたはＬ１バイトで示される。監視制御設定論理部５５は、この指示に従い、情報レジスタ５７ａに現用無線回線Ｍ１の無線中間中継装置１３における各種補助信号の搭載位置を書き込み、情報レジスタ５７ｂに現用無線回線Ｍ２の無線中間中継装置１３における各種補助信号の搭載位置を書き込み、情報レジスタ５７ｃに現用無線回線Ｍ３の無線中間中継装置１３における各種補助信号の搭載位置を書き込む。
【０１２３】
切替番号レジスタ５６には、ＲＦＣＯＨ脱落部２７ａ〜２７ｄから得られた識別コードの切替制御信号が入力され、記憶されており、この識別コードが該当回線番号選択部５８に入力される。該当回線番号選択部５８は、切替番号レジスタ５６から送られた識別コードと対応する情報レジスタに記憶されている各種補助信号の搭載位置を読出し、予備無線回線ＰＲＯＴのＲＦＣＯＨ脱落部２７ｄおよびＲＦＣＯＨ挿入部２９ｄに送る。ＲＦＣＯＨ脱落部２７ｄおよびＲＦＣＯＨ挿入部２９ｄは、送られた搭載位置を基に、予備無線回線ＰＲＯＴのＲＦＣＯＨの所定搭載位置から各種補助信号を脱落させたり、ＲＦＣＯＨの所定搭載位置へ各種補助信号を挿入したりする。
【０１２４】
このように、第９の実施の形態では、第８の実施の形態のようなファームウェアによる制御装置よりも制御速度において高速化を図ることができる。
なお、第９の実施の形態を、第６の実施の形態または第７の実施の形態に組み合わせるようにしてもよい。
【０１２５】
つぎに、第１０の実施の形態を説明する。
第１０の実施の形態の構成は、図２〜図７に示した第１の実施の形態の構成と基本的に同じである。したがって、第１０の実施の形態を、図２〜図７に示した構成を流用して説明する。
【０１２６】
図１９は第１０の実施の形態の構成を示すブロック図である。この構成は、図５の無線端局装置１２、図６の無線中間中継装置１３，１４、および図７の無線端局装置１５に設けられるものであるが、ここでは、図６の無線中間中継装置１３に設けられた場合を説明する。
【０１２７】
補助信号入力アラーム検出部６０はこの場合には３つあり、無線中間中継装置１３の現用無線回線Ｍ１〜Ｍ３のＲＸ２６ａ〜２６ｃにそれぞれ設けられる。そして、補助信号入力アラーム検出部６０は、対応の現用回線で送られる各種補助信号に異常がないか否かを監視し、異常があればアラーム信号を補助信号受信切替判断部６１へ出力する。補助信号受信切替判断部６１は、無線中間中継装置１３の受信切替・送並部３１に設けられ、補助信号受信切替部６２は、ＲＦＣＯＨ脱落部２７ａ〜２７ｄおよびＲＦＣＯＨ挿入部２９ａ〜２９ｄに相当する。
【０１２８】
補助信号受信切替判断部６１は、アラーム信号を受信しない場合、補助信号受信切替部６２が、異常現用無線回線から予備無線回線ＰＲＯＴに各種補助信号の切替を行うことを禁止する。これは、アラーム信号を受信しない場合、主信号に対しては異常がある現用無線回線も、各種補助信号に対しては異常がないので、敢えて切替を行う必要はないという理由による。
【０１２９】
これにより、現用無線回線で送られる各種補助信号に異常が発生している時だけ、予備無線回線ＰＲＯＴが各種補助信号のために使用され、切替を必要最低限に抑えることができる。
【０１３０】
なお、補助信号入力アラーム検出部６０を図５の無線端局装置１２の現用無線回線のＴＸ２２ａ〜２２ｃにそれぞれ設け、補助信号受信切替判断部６１を送信切替制御部２３に設け、補助信号受信切替部６２を、ＲＦＣＯＨ挿入部２１ａ〜２１ｄに対応させるようにしてもよい。また、補助信号入力アラーム検出部６０を図７の無線端局装置１５の現用無線回線のＲＸ３４ａ〜３４ｃにそれぞれ設け、補助信号受信切替判断部６１を受信切替制御部３９に設け、補助信号受信切替部６２を、ＲＦＣＯＨ脱落部３５ａ〜３５ｄに対応させるようにしてもよい。
【０１３１】
つぎに、第１１の実施の形態を説明する。
第１１の実施の形態の構成は、図２〜図７に示した第１の実施の形態の構成と基本的に同じである。したがって、第１１の実施の形態を、図２〜図７に示した構成を流用して説明する。
【０１３２】
図２０は第１１の実施の形態の構成を示すブロック図である。この構成は、図５の無線端局装置１２、図６の無線中間中継装置１３，１４、および図７の無線端局装置１５に設けられるものであるが、ここでは、図６の無線中間中継装置１３に設けられた場合を説明する。
【０１３３】
補助信号入力アラーム検出部６４は、無線中間中継装置１３の予備無線回線ＰＲＯＴのＲＸ２６ｄに設けられる。そして、補助信号入力アラーム検出部６４は、予備回線で送られる各種補助信号に異常がないか否かを監視し、異常があればアラーム信号を補助信号受信切替判断部６５へ出力する。補助信号受信切替判断部６５は、無線中間中継装置１３の受信切替・送並部３１に設けられ、補助信号受信切替部６６は、ＲＦＣＯＨ脱落部２７ａ〜２７ｄおよびＲＦＣＯＨ挿入部２９ａ〜２９ｄに相当する。
【０１３４】
補助信号受信切替判断部６５は、アラーム信号を受信した場合、補助信号受信切替部６６が、異常現用無線回線から予備無線回線ＰＲＯＴに各種補助信号の切替を行うことを禁止する。これは、アラーム信号を受信した場合、主信号に対しては異常がある現用無線回線でも、各種補助信号に対してはエラーが若干あっても一応通信ができるならば、回線断等の可能性のある予備回線を使用するよりも次善の方法であると判断することによる。
【０１３５】
これにより、予備無線回線ＰＲＯＴで送られる各種補助信号に異常が発生していないことが確かめられた時だけ、予備無線回線ＰＲＯＴが各種補助信号のために使用されることになり、各種補助信号の回線断等を防止できる。
【０１３６】
なお、補助信号入力アラーム検出部６４を図５の無線端局装置１２の予備無線回線のＴＸ２２ｄに設け、補助信号受信切替判断部６５を送信切替制御部２３に設け、補助信号受信切替部６６を、ＲＦＣＯＨ挿入部２１ａ〜２１ｄに対応させるようにしてもよい。また、補助信号入力アラーム検出部６４を図７の無線端局装置１５の予備無線回線のＲＸ３４ｄに設け、補助信号受信切替判断部６５を受信切替制御部３９に設け、補助信号受信切替部６６を、ＲＦＣＯＨ脱落部３５ａ〜３５ｄに対応させるようにしてもよい。
【０１３７】
なお、以上の第２乃至第１１の実施の形態では、現用無線回線を３本、予備無線回線を１本として説明をしてきたが、第１の実施の形態と同様に、第２乃至第１１の実施の形態でも、現用無線回線をＮ本、予備無線回線をｍ本（Ｎ＞ｍ＞１）にするようにしてもよい。
【０１３８】
【発明の効果】
以上説明したように本発明では、現用無線回線が予備無線回線に切り替わろうとするときに、送信側端局装置が、その切替情報を補助信号としてフレーム構成の主信号のオーバへッドに挿入する。中継装置は、その切替情報を入手し、現用無線回線を介して伝送されていた主信号のオーバヘッドに挿脱されていた補助信号を、予備無線回線を介して伝送される主信号のオーバヘッドに対して挿脱するように、切り替える。
【０１３９】
かくして、簡単な構成により、無線区間における補助信号のＮ＋ｍ（ｍ≧１）の冗長構成の切替が実現する。
また、切替情報は、少なくとも、異常のある現用無線回線の識別コードを含むようにする。これにより、ハードウェア規模の小さな装置を提供可能となる。
【０１４０】
また、補助信号の送並や切替タイミングを、主信号の送並や切替タイミングに応じて決めるようにする。これにより、補助信号の切替時期を早めたり、補助信号の切替を確実に行ったり、あるいは、無瞬断切替を実現したりできる。
【０１４１】
また、中継局等において、現用回線毎に補助信号に対する処理方法が終端処理と透過処理とが混在していたり、また現用回線毎に補助信号のオーバヘッドへの搭載位置が異なっていたりする場合に対して、処理方法や搭載位置に応じて予備回線への切替をできるようにしている。
【図面の簡単な説明】
【図１】本発明の原理説明図である。
【図２】第１の実施の形態の全体構成を示す構成図である。
【図３】第１の実施の形態で使用される信号のフレーム構成を示す図である。
【図４】光伝送端局装置の内部構成を示す構成図である。
【図５】送信側の無線端局装置の内部構成を示す構成図である。
【図６】無線中間中継装置の内部構成を示す構成図である。
【図７】受信側の無線端局装置の内部構成を示す構成図である。
【図８】第１の実施の形態の動作を示すシーケンス図である。
【図９】無線中間中継装置の受信切替・送並部の内部構成を示す構成図である。
【図１０】第２の実施の形態の動作を示すシーケンス図である。
【図１１】第３の実施の形態の動作を示すシーケンス図である。
【図１２】位相調整装置を示す図である。
【図１３】第４の実施の形態の動作を示すシーケンス図である。
【図１４】送信側無線端局装置が他の局へ送出する、各種補助信号の送並を行うべき現用回線の番号Ｔ（Ｔ）と、受信側無線端局装置が他の局へ送出する、各種補助信号の受信切替を行うべき現用回線の番号Ｒ（Ｔ）とを示す図である。
【図１５】第５の実施の形態の動作を示すシーケンス図である。
【図１６】無線中間中継装置の受信切替・送並部、ＲＦＣＯＨ脱落部、およびＲＦＣＯＨ挿入部に追加される構成を示す図である。
【図１７】無線中間中継装置の受信切替・送並部に追加される構成を示す図である。
【図１８】無線中間中継装置の受信切替・送並部に追加される構成を示す図である。
【図１９】第１０の実施の形態の構成を示すブロック図である。
【図２０】第１１の実施の形態の構成を示すブロック図である。
【図２１】従来の通信システム全体を示す構成図である。
【符号の説明】
１  複数の光回線
２  複数の現用無線回線
３  少なくとも１つの予備無線回線
４  送信側端局装置
４ａ  補助信号挿脱手段
４ｂ  切替情報挿入手段
５  中継装置
５ａ  補助信号挿脱手段
５ｂ  切替情報脱落手段
５ｃ  補助信号切替手段
６  受信側端局装置
【図１】
0003681448.tif 000002
【図２】
0003681448.tif 000003
【図３】
0003681448.tif 000004
【図４】
0003681448.tif 000005
【図５】
0003681448.tif 000006
【図６】
0003681448.tif 000007
【図７】
0003681448.tif 000008
【図８】
0003681448.tif 000009
【図９】
0003681448.tif 000010
【図１０】
0003681448.tif 000011
【図１１】
0003681448.tif 000012
【図１２】
0003681448.tif 000013
【図１３】
0003681448.tif 000014
【図１４】
0003681448.tif 000015
【図１５】
0003681448.tif 000016
【図１６】
0003681448.tif 000017
【図１７】
0003681448.tif 000018
【図１８】
0003681448.tif 000019
【図１９】
0003681448.tif 000020
【図２０】
0003681448.tif 000021
【図２１】
0003681448.tif 000022